(57)【要約】【課題】発光ダイオード（ＬＥＤ）などの発光体が小型化してもこれを損傷することなく発光基板を他の部材に対して容易かつ高い精度で組み付けることが可能な表示装置、およびかかる表示装置を備える各種機器を提供する。【解決手段】ガイド開口１６はガイドピン２６を案内するとともに、ガイドピン２６がガイド開口１６から面内方向に離脱することを規制する。基板連結部２８は、発光基板１０と収容基板２０とを連結する。基板保持部２４に保持された発光基板１０と収容基板２０とを回動させて、発光基板１０と収容基板２０とが所定の交差角度をなす開き状態から互いに略平行となる対向状態まで遷移させる。基板連結部２８は、開口部２２に発光体１２が遊嵌され、ガイド開口１６にガイドピン２６が挿入された状態で、発光基板１０と収容基板２０とを連結する。【選択図】図４
2015219251.tif 000002
【特許請求の範囲】
【請求項１】
複数の発光体が実装面から突出して取り付けられた発光基板と、
前記発光基板の前記実装面に対向して配置され、前記発光体に対応する位置に開口部がそれぞれ形成された収容基板と、
前記発光基板と前記収容基板とを面直方向に互いに回動可能に保持する基板保持部と、
前記発光基板または前記収容基板の一方から前記発光体の突出高さよりも高く突出するガイドピンと、
前記発光基板または前記収容基板の他方に設けられて前記ガイドピンを挿通して案内するとともに、挿通された前記ガイドピンが前記面内方向に離脱することを規制するガイド開口と、
前記発光基板と前記収容基板とを連結する基板連結部と、を備え、
前記基板保持部に保持された前記発光基板と前記収容基板とを回動させて、前記発光基板と前記収容基板とが所定の交差角度をなす開き状態から互いに略平行となる対向状態まで遷移させることで、前記開口部に前記発光体が遊嵌され前記ガイド開口に前記ガイドピンが挿入された状態で前記基板連結部が前記発光基板と前記収容基板とを連結することを特徴とする表示装置。
【請求項２】
前記ガイドピンは、突出方向に細径となるテーパー状をなし、
前記ガイド開口は、前記発光基板または前記収容基板の面内に設けられた貫通孔であって、
前記発光基板と前記収容基板とが前記開き状態から前記対向状態まで回動することにより前記ガイドピンの少なくとも先端部が前記ガイド開口に遊挿される請求項１に記載の表示装置。
【請求項３】
前記ガイドピンが、前記発光基板または前記収容基板の面内において前記発光体または前記開口部を挟んで前記基板保持部と反対側に設けられている請求項２に記載の表示装置。
【請求項４】
前記発光体が、光軸方向を前記実装面の法線方向に略一致させて取り付けられた発光ダイオードであり、
前記発光基板の前記実装面には、前記発光体よりも高く突出する一または複数のスペーサ突起が設けられており、
前記収容基板は、前記対向状態で前記スペーサ突起を収容するスペーサ収容部を備える請求項１から３のいずれか一項に記載の表示装置。
【請求項５】
少なくとも一の前記スペーサ突起が、前記発光基板と前記収容基板とが前記開き状態から前記対向状態まで回動するとき前記ガイドピンの先端部が前記ガイド開口に進入する前に当該スペーサ突起の先端部が前記スペーサ収容部に進入するような位置および突出高さで形成されていることを特徴とする請求項４に記載の表示装置。
【請求項６】
前記発光基板および前記収容基板がそれぞれ略矩形状をなし、
前記基板保持部が、前記発光基板または前記収容基板の少なくとも一の外縁に沿って複数箇所に離間して設けられているとともに、前記発光基板と前記収容基板とが前記外縁の延在方向に相対移動することを規制する係合突起を備える請求項１から５のいずれか一項に記載の表示装置。
【請求項７】
前記基板連結部が、前記対向状態で前記発光基板と前記収容基板とを解除可能に係止する複数の係止爪を備え、
前記ガイドピンおよび前記ガイド開口が、複数の前記係止爪の近傍にそれぞれ設けられている請求項１から６のいずれか一項に記載の表示装置。
【請求項８】
請求項１から７のいずれか一項に記載の表示装置と、
前記収容基板よりも前面側に配置され、前記開口部に対応する位置に複数のセンサ電極が設けられたセンサシートと、を備える情報入力装置。
【請求項９】
前記センサシートよりも前面側に配置されたパターンシートを備え、
前記パターンシートは、遮光性のシート部材に所定形状の複数の光通過部が前記開口部に対応する位置に形成されてなり、前記発光体が放射した光を通過させて文字、図形または記号を表す表示要素を発光表示する請求項８に記載の情報入力装置。
【請求項１０】
請求項１から７のいずれか一項に記載の表示装置と、
前記表示装置を前面に保持する筐体と、
前記筐体の内部に設けられた、商品を収容する商品収容部および収容された前記商品を前記筐体の前面側に払い出す商品払出機構と、を備える自動販売機。
【請求項１１】
前記商品が、たばこ商品である請求項１０に記載の自動販売機。
【発明の詳細な説明】
【技術分野】
【０００１】
本発明は、発光体を有する表示装置、ならびにかかる表示装置を備える情報入力装置および自動販売機に関する。
【背景技術】
【０００２】
基板に実装された発光ダイオード（ＬＥＤ）などの発光体を光源とする各種の表示装置が提供されている。
【０００３】
この種の装置として、特許文献１には、いわゆる７セグメント式の表示装置が記載されている。この表示装置は、セグメントに対応する複数の開口部を有するリフレクトケースと、ＬＥＤが実装されてリフレクトケースの背面側に設けられた基板（発光基板）とを備えている。発光基板の前面側に突出して実装されたＬＥＤは、リフレクトケースの開口部の内部に個別に収容された状態で発光するため、各セグメントから出射される光がリフレクトケースで隔てられて明瞭な発光表示が可能となる。特許文献１において、発光基板の長手方向（特許文献１の図３における左右方向）の両側には凹部が切欠形成されており、リフレクトケースから裏面側に突出する一対の嵌合部が、この凹部に対してそれぞれ係止する。
【０００４】
特許文献１の図２に示されるように、発光基板（基板アセンブリ）をリフレクトケースに組み付ける際は、まず、リフレクトケースと発光基板との辺同士を合わせて一方の凹部に嵌合部を嵌合させ、互いに傾斜した状態とする。つぎに、この傾斜状態から発光基板をリフレクトケースに対して回動させて平行に対向した状態にするとともに、発光基板の自由端にあたる他方の凹部にリフレクトケースの爪状の嵌合部を係合させる。これにより、ＬＥＤが開口部に収容された状態で、発光基板とリフレクトケースとが解除可能に連結される。また、リフレクトケースにはガイドピンが設けられており、発光基板を組み付ける際に基板上の部品がリフレクトケースと干渉してダメージを受けるのを防止することができるとされている。このガイドピンは発光基板の幅方向（特許文献１の図３における上下方向）の両側に形成されており、特許文献１の図２（側面図）に示されるように、発光基板の長辺の両外側に接するようにして発光基板の回動を案内する。ガイドピンは、先端が丸い鈍頭状に形成された直柱状に形成されている。
【先行技術文献】
【特許文献】
【０００５】
【特許文献１】特開２００６−１１９３５７号公報
【発明の概要】
【発明が解決しようとする課題】
【０００６】
近年、発光基板の実装密度は向上し、発光ダイオード（ＬＥＤ）などの発光体の小型化が益々進んでいる。このため、表示装置を組み立てる際には、発光基板をリフレクトケースなどの他の部材に対して高い精度で位置合わせするとともに、発光体に小さなダメージが加わっただけで容易に損傷するため組立動作の精度を高める必要がある。
【０００７】
特許文献１の表示装置では、発光基板とリフレクトケースとの辺同士を合わせて凹部と嵌合部を係合させ、この辺を軸として互いを面直方向に回動させることで組み付けが可能であるため、組立動作がある程度高められている。
【０００８】
しかしながら、特許文献１の表示装置は、回動する発光基板の幅方向の両外側をガイドピンでガイドするため、発光基板とリフレクトケースとの辺同士の位置合わせが完全でない場合にはＬＥＤがリフレクトケースの開口部に正常に収容されず損傷する虞がある。ガイドピンでガイドされる発光基板は、リフレクトケースに対して長手方向すなわち回動軸に対する直交方向に相対移動することが可能であるためである。このため、発光基板の凹部がリフレクトケースの嵌合部に対して浅く嵌合している場合など、長手方向に関する両者の位置合わせが完全でない場合には、ＬＥＤが開口部を外れることがある。そして、ＬＥＤが開口部を外れた状態で発光基板を回動させてしまうと、リフレクトケースにおける開口部の非形成領域にＬＥＤが押しつけられて損傷する虞がある。
【０００９】
本発明は上述のような課題に鑑みてなされたものであり、発光ダイオード（ＬＥＤ）などの発光体が小型化してもこれを損傷することなく発光基板を他の部材に対して容易かつ高い精度で組み付けることが可能な表示装置、およびかかる表示装置を備える各種機器を提供するものである。
【課題を解決するための手段】
【００１０】
本発明によれば、複数の発光体が実装面から突出して取り付けられた発光基板と、前記発光基板の前記実装面に対向して配置され、前記発光体に対応する位置に開口部がそれぞれ形成された収容基板と、前記発光基板と前記収容基板とを面直方向に互いに回動可能に保持する基板保持部と、前記発光基板または前記収容基板の一方から前記発光体の突出高さよりも高く突出するガイドピンと、前記発光基板または前記収容基板の他方に設けられて前記ガイドピンを挿通して案内するとともに、挿通された前記ガイドピンが前記面内方向に離脱することを規制するガイド開口と、前記発光基板と前記収容基板とを連結する基板連結部と、を備え、前記基板保持部に保持された前記発光基板と前記収容基板とを回動させて、前記発光基板と前記収容基板とが所定の交差角度をなす開き状態から互いに略平行となる対向状態まで遷移させることで、前記開口部に前記発光体が遊嵌され前記ガイド開口に前記ガイドピンが挿入された状態で前記基板連結部が前記発光基板と前記収容基板とを連結することを特徴とする表示装置が提供される。
【００１１】
上記発明によれば、ガイド開口に嵌合したガイドピンが発光基板または収容基板の面内方向に離脱することが規制されているため、回動中の発光基板と収容基板とに面内方向の位置ずれが生じることが防止される。そして、ガイドピンが発光体よりも高く突出しているため、発光基板と収容基板との位置合わせが仮に不完全であっても、発光体が収容基板と干渉する前に、ガイド開口を外れたガイドピンが発光基板の実装面に当たってストッパーとなる。これにより、発光基板と収容基板との組み付け時に発光体が不測に損傷することがない。
【００１２】
また、本発明によれば、上記の表示装置と、前記収容基板よりも前面側に配置され、前記開口部に対応する位置に複数のセンサ電極が設けられたセンサシートと、を備える情報入力装置が提供される。
【００１３】
また、本発明によれば、上記の表示装置と、前記表示装置を前面に保持する筐体と、前記筐体の内部に設けられた、商品を収容する商品収容部および収容された前記商品を前記筐体の前面側に払い出す商品払出機構と、を備える自動販売機が提供される。
【発明の効果】
【００１４】
本発明の表示装置およびこれを備える情報入力装置や自動販売機などの各種機器によれば、発光体が小型化してもこれを損傷することなく発光基板を他の部材に対して容易かつ高い精度で組み付けることが可能である。
【図面の簡単な説明】
【００１５】
【図１】本発明の実施形態にかかる表示装置の一例を示す断面模式図である。
【図２】表示装置の分解斜視図である。
【図３】発光基板と収容基板とを分離した状態を示す説明図である。
【図４】（ａ）は開き状態の発光基板および収容基板を示す側面図であり、（ｂ）は対向状態の発光基板および収容基板を示す側面図である。
【図５】本発明の実施形態にかかる自動販売機の一例を示す正面図である。
【発明を実施するための形態】
【００１６】
以下、本発明の実施形態を図面に基づいて説明する。尚、すべての図面において、同様の構成要素には同様の符号を付し、重複する説明は適宜省略する。
【００１７】
なお、以下の説明では前後方向や上下方向を規定する場合があるが、これは構成要素の相対関係を説明するために便宜的に規定するものであり、本発明にかかる装置の製造時や使用時の方向を必ずしも限定するものではない。以下、便宜上、基板保持部２４が設けられている側を下方と呼称し、基板連結部２８が設けられている側を上方と呼称する。
また、以下の説明において「シート」とは、主面の縦寸法または横寸法に比べて厚み寸法が小さい層状であることを意味し、フィルムやプレートなどの意味を包含する。
【００１８】
はじめに、表示装置１００の概要について説明する。図１は、本発明の実施形態にかかる表示装置１００の一例を示す断面模式図である。図２は、表示装置１００の分解斜視図である。
【００１９】
表示装置１００は、発光基板１０、収容基板２０、基板保持部２４、ガイドピン２６、ガイド開口１６および基板連結部２８を備えている。
発光基板１０には、複数の発光体１２が実装面１４から突出して取り付けられている。収容基板２０は、発光基板１０の実装面１４に対向して配置され、発光体１２に対応する位置に開口部２２がそれぞれ形成されている。基板保持部２４は、発光基板１０と収容基板２０とを面直方向に互いに回動可能に保持する。
ガイドピン２６は、発光基板１０または収容基板２０の一方から発光体１２の突出高さよりも高く突出している。ガイド開口１６は、発光基板１０または収容基板２０の他方に設けられてガイドピン２６を挿通して案内するとともに、挿通されたガイドピン２６がガイド開口１６から面内方向に離脱することを規制する。基板連結部２８は、発光基板１０と収容基板２０とを連結する。
基板保持部２４に保持された発光基板１０と収容基板２０とを回動させて、発光基板１０と収容基板２０とが所定の交差角度をなす開き状態（図４（ａ）を参照）から互いに略平行となる対向状態（図４（ｂ）を参照）まで遷移させる。これにより、基板連結部２８は、開口部２２に発光体１２が遊嵌され、ガイド開口１６にガイドピン２６が挿入された状態で、発光基板１０と収容基板２０とを連結する。
【００２０】
なお、本実施形態の説明において、表示装置１００の前面側とはユーザが発光体１２の光Ｌを視認する側であり、図１における上側を意味する。また、表示装置１００の背面側とは前面側の反対側であり、図１における下側を意味する。前面側と背面側とを結ぶ方向を前後方向と呼称する場合がある。
【００２１】
発光体１２が開口部２２に遊嵌されているとは、開口部２２を画成する周壁に発光体１２が干渉することなく発光体１２が開口部２２に収容されている状態をいう。開口部２２に収容された発光体１２は、収容基板２０を厚み方向に通過して収容基板２０から一部が突出していてもよく、または収容基板２０の内側に発光体１２の全体が収容されていてもよい。また、本実施形態において開口とは面の内部に形成された貫通孔または止まり穴のほか、面の外縁に形成された切欠を含む。
【００２２】
本実施形態の表示装置１００によれば、発光体１２が実装面１４から突出する高さよりも高くガイドピン２６が収容基板２０から突出しているため、発光体１２が収容基板２０の開口部２２に収容されはじめる時点で、発光基板１０と収容基板２０とが位置合わせされた状態にある。このため、基板連結部２８を作動させる際に所定の荷重が負荷されても発光基板１０と収容基板２０とが回動軸に対して交差する方向に位置ずれをすることが抑制される。これにより、発光基板１０と収容基板２０とを組み付ける動作中に、発光体１２が収容基板２０と干渉して不測の損傷を受けることがない。
【００２３】
つぎに、表示装置１００の全体構成について説明する。
【００２４】
表示装置１００は、発光体１２が放射する光Ｌによって文字、図形または記号などの表示要素４４を所定の輝度で点灯表示する表示機能を少なくとも有する装置である。発光体１２の点灯の態様は特に限定されず、連続的に点灯させてもよく、または点滅させてもよい。表示装置１００は、タッチ操作や、マウスまたはキーボードなどの情報入力手段からの入力操作を受け付ける情報入力機能を有していてもよい。以下、表示機能に加えて情報入力機能を有する表示装置１００を、情報入力装置１２０と呼称する。
【００２５】
具体的には、本実施形態の情報入力装置１２０は、本実施形態の表示装置１００とセンサシート３０とを備えて構成されている。ユーザの指やスタイラスペンなどの入力体２１０によるタッチ操作は、センサシート３０によって静電容量式や抵抗膜式などの検知原理により検知される。図１に示すように、センサシート３０は収容基板２０よりも前面側に配置され、収容基板２０の開口部２２に対応する位置に複数のセンサ電極３２が設けられている。
【００２６】
センサシート３０は、光透過性のシート部材の上に、透明電極であるセンサ電極３２をパターン形成したものである。センサ電極３２は酸化インジウムスズ（ＩＴＯ：Indium Tin Oxide）などで作成することができる。収容基板２０に収容された発光体１２が放射する光Ｌは、センサシート３０（センサ電極３２）を透過する。センサ電極３２には引出配線（図示）が接続されており、センサ電極３２で検知したタッチ操作の入力信号を情報処理手段（図示せず）に送信する。
【００２７】
情報入力装置１２０は、センサシート３０よりも前面側に配置されたパターンシート４０を備えている。パターンシート４０は、遮光性のシート部材に所定形状の複数の光通過部４２が収容基板２０の開口部２２に対応する位置に形成されてなる。パターンシート４０は、発光体１２が放射した光を通過させて、文字、図形または記号を表す表示要素４４を発光表示する部材である。これにより、ユーザは表示装置１００（情報入力装置１２０）の前面にて発光表示される表示要素４４を視認しつつ、当該表示要素４４を入力体２１０でタッチ操作することによりセンサシート３０のセンサ電極３２に情報入力することができる。
【００２８】
本実施形態の表示要素４４は、７個の光通過部４２で構成された、いわゆる７セグメントディスプレイタイプ（以下、単に７セグともいう）の表示に対応しており、７個の光通過部４２にそれぞれ収容された発光体１２の発光または消灯の制御により０から９までのアラビア数字および幾つかのアルファベットを表示することができる。パターンシート４０には、複数組（本実施形態では１２組）の７セグがパターン形成されている。本実施形態の光通過部４２はパターンシート４０に貫通形成された開口である。光通過部４２には、発光体１２が放射した光Ｌを拡散させる拡散材料を充填してもよい。
【００２９】
発光基板１０は、１枚または複数枚の配線基板からなり、複数の発光体１２と、これらの発光体１２に給電する配線パターンおよび給電端子（図示せず）を備えている。発光基板１０には、発光体１２への給電量を制御する発光制御部１３が取り付けられている。
【００３０】
本実施形態の発光体１２は発光ダイオード（ＬＥＤ）である。より具体的には、発光体１２は、光軸方向を実装面１４の法線方向に略一致させて取り付けられた発光ダイオードである。発光体１２の実装面１４は、発光基板１０の前面側の主面である。発光体１２は、実装面１４に表面実装されていてもよく、または発光体１２の発光部が実装面１４の前面側に位置するようにピン実装されていてもよい。
発光体１２は、パターンシート４０の表示要素４４を構成する光通過部４２に個別に対応する位置に配置されている。発光基板１０の実装面１４には、発光体１２のほか、所定の面積で発光する平面発光部を構成する導光板１５が取り付けられている。収容基板２０は全体として略矩形状をなし、具体的には導光板１５を嵌合させるための切欠が形成された略コ字状をなしている。
【００３１】
収容基板２０は遮光性のプレート材料からなり、光通過部４２に対応する位置および形状に複数の開口部２２が貫通形成されている。開口部２２には発光体１２がそれぞれ収容されている。
【００３２】
本実施形態の収容基板２０の周縁には、前面側に突出する前面周壁部２０１が形成されている。前面周壁部２０１を除く収容基板２０の厚み寸法は、発光体１２が実装面１４より突出する高さ寸法よりも大きい。図１に示すように、開口部２２に遊嵌された発光体１２は、その突出高さの全体に亘って収容基板２０の内側に収容されている。これにより、発光体１２が物理的に保護されるとともに、複数の発光体１２からそれぞれ放射された光Ｌが開口部２２ごとに仕切られて光通過部４２を明瞭に発光させる。
【００３３】
収容基板２０の前面側には、収容基板２０から順にセンサシート３０およびパターンシート４０が配置されている。収容基板２０とセンサシート３０の合計厚さは前面周壁部２０１の突出高さよりも小さく、これらは前面周壁部２０１の内側に収容されている。収容基板２０の更に前面側には、背面側から順にスペーサ部材５０、視野角制限シート５２および保護シート５８が配置されている。保護シート５８の周縁は前面カバー８２により保持されている。前面カバー８２は中央が開口した枠体であり、保護シート５８を露出させて保持し、視野角制限シート５２およびそれよりも背面側の各部材を内部に収容する。
【００３４】
保護シート５８は表示装置１００（情報入力装置１２０）の最前面に配置されて背面側の各部材を物理的に保護する部材であり、光透過性を有している。
視野角制限シート５２は、透過領域５４と不透過領域５６とが所定のピッチで繰り返して形成されており、透過領域５４を透過する光Ｌの視野角を、一方向または直交する二方向に所定の極視野カットオフ角以下に制限する。
【００３５】
スペーサ部材５０は、保護シート５８との間に視野角制限シート５２を挟持する光透過性の基板である。スペーサ部材５０とパターンシート４０との間には空隙部６０が設けられており、スペーサ部材５０の背面は収容基板２０から前面側に突出する複数本の前面リブ２３によって支持されている。センサシート３０およびパターンシート４０には、前面リブ２３を挿通するための貫通孔３６、４６がそれぞれ形成されている（図２を参照）。これにより、入力体２１０が保護シート５８をタッチ操作した際の荷重が、スペーサ部材５０から前面リブ２３を介して収容基板２０に伝達され、センサシート３０やパターンシート４０には実質的にこの荷重が負荷されない。これにより、タッチ操作した際の荷重でセンサシート３０が撓むことに起因する検知エラーの発生が防止されている。
【００３６】
収容基板２０の前面には、前面リブ２３に加えて位置決めピン２５が突出している。位置決めピン２５の突出高さは前面リブ２３よりも低い。センサシート３０およびパターンシート４０には、位置決めピン２５を挿通するための位置決め孔３８、４８が開口形成されている。位置決め孔３８、４８に位置決めピン２５を挿通することで、収容基板２０の前面に対してセンサシート３０およびパターンシート４０が面内方向に位置合わせされる。
【００３７】
収容基板２０の背面は平坦であり、発光基板１０は収容基板２０の背面に密接している。発光基板１０の背面は背面カバー８４で覆われ、また背面カバー８４の前面側に立設された補強リブ８５によって発光基板１０は支持されている。背面カバー８４の背面側には筒状の取付部８８が突出形成されており、発光基板１０やセンサシート３０から延びる配線（図示せず）が挿通されて引き出されている。
【００３８】
以下、発光基板１０および収容基板２０について更に詳細に説明する。
【００３９】
図１に示すように、対向状態にある発光基板１０と収容基板２０とはガイドピン２６により面内方向に互いに位置合わせされている。発光基板１０および収容基板２０の面内方向とは、図１における左右方向および紙面前後方向にあたる。ガイドピン２６は発光基板１０または収容基板２０の一方から他方に向って突出形成され、ガイド開口１６は当該他方の面内に設けられている。具体的には、本実施形態のガイドピン２６は、収容基板２０のうち、発光基板１０の実装面１４と対向する主面２１より背面側に突出して設けられている。そしてガイド開口１６は、発光基板１０に貫通して設けられている。図１に示す発光基板１０と収容基板２０とは互いに略平行（本実施形態では平行）な対向状態にある。この対向状態で、ガイド開口１６に挿通されたガイドピン２６の先端部２６１は、発光基板１０よりも背面側に突出している。背面カバー８４は、発光基板１０の背面側を覆っている。ガイドピン２６の先端部２６１は、背面カバー８４の内部に収容されてもよく、または背面カバー８４の補強リブ８５によってガイドピン２６の先端部２６１を支持してもよい。
【００４０】
本実施形態では、簡単のため収容基板２０が単一のプレート材料で構成され、ガイドピン２６が当該プレート材料の背面側に一体形成されている態様を例示する。ただし、本発明はこれに限らず、ガイドピン２６を収容基板２０と別部材で作成して収容基板２０に嵌合させてもよい。または、複数枚のプレート材料を前後方向に重ね合わせて収容基板２０を構成し、このうち前面側に位置するプレート材料の背面にガイドピン２６を立設するとともに、背面側に位置する他のプレート材料を貫通させてもよい。このほか、本実施形態に代えて、ガイドピン２６を発光基板１０の前面より突出させて形成し、ガイド開口１６を収容基板２０に開口形成してもよい。
【００４１】
図１に示すように、発光基板１０の実装面１４には、発光体１２よりも高く突出する一または複数のスペーサ突起１８が設けられている。一方、収容基板２０は、図１に示す対向状態でスペーサ突起１８を収容するスペーサ収容部２９を備えている。これにより、発光体１２が突出している実装面１４を下方に向けて発光基板１０を架台（図示せず）に載置しても、スペーサ突起１８が脚となって架台に接触し、発光体１２は架台から離間した状態となるため発光体１２が物理的に保護される。このため、発光基板１０を収容基板２０に組み合わせるにあたり、面内方向における両者の位置合わせが完全でない場合、スペーサ突起１８が収容基板２０の背面に当たることで発光体１２が収容基板２０から浮いた状態となる。よって、発光体１２が収容基板２０に干渉して損傷をうけることがない。そして、ガイドピン２６とスペーサ突起１８とが相俟って、発光基板１０と収容基板２０とが面内方向に正確に位置合わせされる。
【００４２】
スペーサ突起１８の突出高さは、収容基板２０の厚み寸法よりも小さい。このため、スペーサ収容部２９に収容されたスペーサ突起１８が収容基板２０の前面側に突出することはなく、スペーサ突起１８がセンサシート３０に干渉することはない。
【００４３】
図３は、発光基板１０と収容基板２０とを分離した状態を示す説明図である。導光板１５（図２を参照）は図示を省略してある。ガイド開口１６に対するガイドピン２６の挿入方向および基板保持部２４に対する下辺切欠部１９２の装着方向をそれぞれ矢印で示す。
【００４４】
本実施形態のガイドピン２６は、突出方向に細径となるテーパー状をなしており、収容基板２０の背面側に突出して形成されている。ガイド開口１６は、発光基板１０または収容基板２０（本実施形態では発光基板１０）の面内に設けられた貫通孔である。これにより、後述するように発光基板１０を収容基板２０に対して回動させながらガイドピン２６をガイド開口１６に挿入することができ、またガイドピン２６を深く挿入することで発光基板１０と収容基板２０とが正確に位置合わせされる。ガイドピン２６の基端部の外径はガイド開口１６の開口径と同等であり、発光基板１０を収容基板２０の背面に密着させることでガイドピン２６はガイド開口１６に対して密着して嵌合する。
【００４５】
なお、本実施形態に代えて、ガイド開口１６の開口径をガイドピン２６の基端部の外径よりも大きくする場合、ガイドピン２６とガイド開口１６との間隙幅は、収容基板２０の開口部２２と発光体１２との間隙よりも小さくするとよい。これにより、ガイドピン２６がガイド開口１６の内部でがたついたとしても、発光体１２が開口部２２の周壁に干渉することがない。
【００４６】
発光基板１０および収容基板２０は、それぞれ略矩形状をなしている。発光基板１０の外縁の複数箇所に切欠部１９が設けられている。切欠部１９は、具体的には、発光基板１０の対向する二辺に二箇所ずつ形成された上辺切欠部１９１および下辺切欠部１９２を含む。収容基板２０には、発光基板１０の上辺切欠部１９１に対応する位置に基板連結部２８が設けられ、発光基板１０の下辺切欠部１９２に対応する位置に基板保持部２４が設けられている。
【００４７】
スペーサ突起１８は、発光体１２の形成領域を取り囲むようにして略矩形状の発光基板１０の四隅の近傍に設けられている。収容基板２０には、スペーサ突起１８に対応する位置にスペーサ収容部２９がそれぞれ設けられている。スペーサ収容部２９は、収容基板２０の主面２１の面内に形成された貫通孔２９ａと、収容基板２０の外縁に形成された切欠凹部２９ｂとを含む。本実施形態の実装面１４には複数のスペーサ突起１８が設けられている。発光基板１０の上縁１０ａに近接して配置された上部スペーサ突起１８ａと、下縁１０ｂに近接して配置された下部スペーサ突起１８ｂとを含む。
【００４８】
基板保持部２４は、発光基板１０と収容基板２０とを面内方向に互いに位置合わせした状態で面直方向に回動可能に保持する手段である。本実施形態の基板保持部２４は、発光基板１０または収容基板２０の少なくとも一の外縁（収容基板２０の下縁２０ｂ）に沿って複数箇所に離間して設けられている。また、基板保持部２４は係合突起２４２を備えている。係合突起２４２は、発光基板１０と収容基板２０とが当該外縁（下縁２０ｂ）の延在方向に相対移動することを規制する。
【００４９】
具体的には、基板保持部２４は、収容基板２０の下縁２０ｂから背面側に突出する保持片２４１と、この保持片２４１の上面に設けられた係合突起２４２とで構成されている。本実施形態の保持片２４１は、発光基板１０の下縁１０ｂを下方支持するＬ字型の突片である。係合突起２４２は、収容基板２０の面直方向に延在する短尺の突条部である。発光基板１０の下縁１０ｂに形成された下辺切欠部１９２の上底（切欠底部）には、係合突起２４２を嵌合させる凹部１９３が形成されている。下辺切欠部１９２に保持片２４１を深く係合させることで係合突起２４２が凹部１９３に嵌合する。これにより、発光基板１０と収容基板２０とが、係合突起２４２の交差方向すなわち下縁１０ｂ、２０ｂの延在方向に沿って相対移動することが規制される。また、係合突起２４２の延在方向が収容基板２０の面直方向すなわち下縁２０ｂの直交方向であることにより、係合突起２４２に跨るように凹部１９３を装着した状態で発光基板１０を収容基板２０に対して面直方向に回動させることができる。このため、発光基板１０と収容基板２０とが面内方向に位置決めされた状態で、互いに位置ずれをすることなく基板保持部２４を回動軸として回動させることができる。
【００５０】
複数の基板保持部２４は、下縁２０ｂに沿って互いに離間した位置に設けられている。基板保持部２４に保持された発光基板１０は、基板保持部２４を回転軸として、収容基板２０に対して面直方向に回動する。
【００５１】
ガイドピン２６は、発光基板１０または収容基板２０（本実施形態では収容基板２０）の面内において、発光体１２または開口部２２（本実施形態では開口部２２）を挟んで基板保持部２４と反対側に設けられている。すなわち、基板保持部２４は収容基板２０の下縁２０ｂに設けられているのに対し、ガイドピン２６は開口部２２よりも上縁２０ａの近傍に設けられている。ガイドピン２６が基板保持部２４（回転軸）から離間して設けられていることで、ガイドピン２６とガイド開口１６による位置決め精度が向上する。
【００５２】
図４各図は発光基板１０と収容基板２０とを組み付ける様子を模式的に示す側面図である。図４（ａ）は、開き状態の発光基板１０および収容基板２０を示す側面図である。図４（ｂ）は、対向状態の発光基板１０および収容基板２０を示す側面図である。
【００５３】
図４（ａ）に示す開き状態は、発光基板１０の下縁１０ｂ（図３を参照）の凹部１９３を収容基板２０の基板保持部２４における係合突起２４２に係合させ、発光基板１０の上縁１０ａ（図３を参照）の上辺切欠部１９１を基板連結部２８から離間させた状態である。収容基板２０と発光基板１０の法線方向は所定の交差角度で交差し、収容基板２０と発光基板１０とは側面視にてＶ字状をなしている。両基板の法線方向の交差角度は、側面視にてＶ字状をなす当該両基板の開き角度にあたる。交差角度は、たとえば０度を超えて３０度以下などとすることができる。
図４（ｂ）に示す対向状態は、発光基板１０の凹部１９３を係合突起２４２に係合させるとともに、発光基板１０の上辺切欠部１９１を基板連結部２８に係止させた状態である。収容基板２０と発光基板１０の法線方向は一致し、２枚の基板は平行に対向している。
【００５４】
開き状態において、発光基板１０と収容基板２０とは基板保持部２４を回動軸ＡＸとして互いに面直方向（図４（ａ）における面内方向）に互いに回動可能である。
【００５５】
開き状態から対向状態まで徐々に遷移させる途中で、下部スペーサ突起１８ｂが切欠凹部２９ｂに挿入された後、ガイドピン２６の先端部２６１が発光基板１０のガイド開口１６に挿入され、更にその後、発光体１２が収容基板２０の開口部２２に収容される。最後に、基板連結部２８が上辺切欠部１９１に係止されて発光基板１０と収容基板２０とが連結固定される。
【００５６】
ガイドピン２６は、実装面１４から発光体１２が突出する高さよりも十分に高く収容基板２０の主面２１から突出していることが好ましい。これにより、発光基板１０と収容基板２０との面内方向の位置合わせが不完全な状態で互いに回動させた場合でも、いずれの発光体１２も収容基板２０の主面２１と干渉することなくガイドピン２６をストッパーとして発光基板１０に突き当てることができる。具体的には、発光基板１０と収容基板２０とが基板保持部２４で保持された開き状態のうち、ガイドピン２６の先端部２６１が発光基板１０のガイド開口１６に進入を開始する交差角度で、すべての発光体１２が収容基板２０の開口部２２に到達せず未嵌合となるようにガイドピン２６の形成位置および突出高さを設定することが好ましい。
【００５７】
発光基板１０と収容基板２０とが開き状態から対向状態まで回動することにより、ガイドピン２６の少なくとも先端部２６１がガイド開口１６に遊挿される。対向状態で、ガイドピン２６の先端部２６１は発光基板１０のガイド開口１６を貫通して発光基板１０の背面側（図４（ｂ）の右方）に突出する。
【００５８】
基板連結部２８は解除可能に発光基板１０と収容基板２０とを連結固定する。発光体１２を交換する場合など、発光基板１０の実装面１４にアクセスする場合には、基板連結部２８と上辺切欠部１９１との係合を解除し、対向状態から開き状態に遷移させる。
【００５９】
上述のように、本実施形態のガイドピン２６は先端部２６１に向って細径となるテーパー状をなしている。このため、図４（ａ）に示すように収容基板２０と発光基板１０とが側面視でＶ字状をなす開き状態から対向状態まで回動させたときに、ガイドピン２６の先端部２６１がガイド開口１６の周縁に干渉することなくガイド開口１６に挿入される。付言すると、特許文献１のように発光基板の両外側に沿ってガイドピン２６で案内する場合にはガイドピン２６を直柱状とすることが可能であるところ、本実施形態のようにガイドピン２６の基端部の外径に密着して嵌合する略同径のガイド開口１６にガイドピン２６を挿入するためには、ガイドピン２６を特許文献１のような直柱状ではなくテーパー状とすることが好適である。これにより、外縁（下縁２０ｂ）を回動軸として収容基板２０を発光基板１０に対して面直方向に回動させたときに、ガイドピン２６の先端部２６１の周縁が発光基板１０に干渉することが避けられる。
【００６０】
上述のように、発光基板１０の実装面１４には複数のスペーサ突起１８が突出して形成されている。このうち少なくとも一のスペーサ突起１８（下部スペーサ突起１８ｂ）が、発光基板１０と収容基板２０とが開き状態から対向状態まで回動するときガイドピン２６の先端部２６１がガイド開口１６に進入する前に、当該スペーサ突起１８（下部スペーサ突起１８ｂ）の先端部１８１がスペーサ収容部２９に進入するような位置および突出高さで形成されている。これにより、発光基板１０と収容基板２０との面内方向の位置合わせが仮に不完全であっても、ガイドピン２６が実装面１４に当たる前に下部スペーサ突起１８ｂがストッパーとなって収容基板２０の主面２１に突き当たる。このため、発光体１２が収容基板２０と干渉することを防止する。すなわち、ガイドピン２６の位置および突出高さによっては、開き状態から対向状態に基板が遷移する途中、下縁１０ｂの最も近傍に配置された下位の発光体１２は、ガイドピン２６がガイド開口１６に挿入される前に、収容基板２０の開口部２２に収容される場合がある。このため、発光基板１０と収容基板２０との面内方向の位置合わせが不完全であると、ガイドピン２６がストッパーとなって実装面１４に突き当たる前に、下位の発光体１２が損傷を受ける虞がある。これに対し、本実施形態のように下部スペーサ突起１８ｂの先端部１８１がガイドピン２６よりも先にストッパーとして機能することで、発光基板１０と収容基板２０との面内方向の位置合わせが仮に不完全であっても発光体１２がより保護される。したがって、下部スペーサ突起１８ｂは、極力、下縁１０ｂに近接する下方に位置し、かつ発光体１２よりも大きな突出高さで実装面１４から突出していることが好ましい。
【００６１】
基板連結部２８は、発光基板１０と収容基板２０とを連結する手段である。基板連結部２８は収容基板２０の上縁２０ａに沿って複数箇所に設けられている。
【００６２】
基板連結部２８が、対向状態で発光基板１０と収容基板２０とを解除可能に係止する複数の係止爪２８１を備えている。開き状態から対向状態に遷移させると、係止爪２８１は発光基板１０の上縁１０ａの上辺切欠部１９１を乗り越えてこれと係合する。これにより、発光基板１０と収容基板２０とが係止されるとともに、対向状態から開き状態に逆方向に遷移することが規制される。また、ガイドピン２６およびガイド開口１６は、複数の係止爪２８１の近傍にそれぞれ設けられている。これにより、ガイドピン２６で位置決めされた発光基板１０と収容基板２０とを基板連結部２８で精度よく安定して係止することができる。
【００６３】
なお、本発明は上述の実施形態に限定されるものではなく、本発明の目的が達成される限りにおける種々の変形、改良等の態様も含む。
【００６４】
たとえば上記実施形態において、ガイドピン２６を案内するガイド開口１６として発光基板１０の面内に形成された貫通孔を例示したが、本発明はこれに限られない。ガイド開口１６は、発光基板１０の側縁１０ｃ、１０ｄに形成された切欠部でもよい。この場合、開き状態でガイド開口１６と係合したガイドピン２６（先端部２６１）が発光基板１０の面内方向にガイド開口１６から離脱することがないよう、ガイド開口１６（切欠部）はガイドピン２６を十分に収容できる深さで形成されているとよい。具体的には、ガイド開口１６を切欠部で形成する場合、対向状態においてガイドピン２６の径方向の中心がガイド開口１６の内部に収容されるとよく、ガイドピン２６の全体がガイド開口１６の内部に収容されると更に好ましい。
【００６５】
また、本実施形態では基板保持部２４の保持片２４１と係合突起２４２とが一体形成された態様を例示したが、本発明はこれに限られない。すなわち、発光基板１０の下縁１０ｂを保持する保持片２４１と、発光基板１０と収容基板２０とが下縁１０ｂ、２０ｂに沿って相対移動することを規制する係合突起２４２とは互いに離間した位置に設けてもよい。
【００６６】
＜自動販売機＞
図５は、本発明の実施形態にかかる自動販売機１５０の一例を示す正面図である。
【００６７】
自動販売機１５０は、本実施形態の表示装置１００と、表示装置１００を前面に保持する筐体１２２とを備えている。筐体１２２の内部には、商品Ｇを収容する商品収容部１２４、および収容された商品Ｇを筐体１２２の前面側に払い出す商品払出機構１２６が設けられている。
【００６８】
本実施形態の自動販売機１５０が備える表示装置１００は、センサシート３０を備える情報入力装置１２０である（図１を参照）。
【００６９】
筐体１２２の前面には、商品Ｇのサンプルまたは商品Ｇを示す画像が表示されている。このほか、筐体１２２の前面には商品取出口１２８、コイン投入部１４１、紙幣投入部１４２およびカード読み書き部１４３が設けられている。
【００７０】
商品Ｇは、たばこ商品である。商品Ｇ（たばこ商品）は銘柄ごとに整列して商品収容部１２４に収容されており、ユーザのボタン選択を契機として、払出処理部（図示せず）の制御により商品払出機構１２６が駆動されて商品Ｇが商品取出口１２８に払い出される。
【００７１】
具体的には、カード読み書き部１４３にＩＣカード（図示せず）をかざしてユーザの成人認証を行い、購入者適格が肯定された場合、ユーザによるボタン選択を受け付けて商品払出機構１２６が駆動される。本実施形態の表示装置１００（情報入力装置１２０）は、コイン投入部１４１または紙幣投入部１４２に投入された金額のほか、商品Ｇの値段、購入者適格が肯定または否定されたことを示すメッセージなどを表示させる。また、情報入力装置１２０は、ＩＣカードが記憶する生年月日情報などの暗号化された個人情報を復号するためのパスワードの入力操作に用いることができる。
【００７２】
本実施形態の自動販売機１５０は、発光体１２により種々の文字、図形または記号を発光表示させることが可能である。そして、発光体１２を小型化して表示装置１００の省スペース化が図られるとともに、表示装置１００の組み立て時に発光体１２を過って損傷することが防止される。
【００７３】
本発明の表示装置１００およびこれを備える情報入力装置１２０や自動販売機１５０の各種の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００７４】
上記実施形態は、以下の技術思想を包含するものである。
（１）複数の発光体が実装面から突出して取り付けられた発光基板と、前記発光基板の前記実装面に対向して配置され、前記発光体に対応する位置に開口部がそれぞれ形成された収容基板と、前記発光基板と前記収容基板とを面直方向に互いに回動可能に保持する基板保持部と、前記発光基板または前記収容基板の一方から前記発光体の突出高さよりも高く突出するガイドピンと、前記発光基板または前記収容基板の他方に設けられて前記ガイドピンを挿通して案内するとともに、挿通された前記ガイドピンが前記面内方向に離脱することを規制するガイド開口と、前記発光基板と前記収容基板とを連結する基板連結部と、を備え、前記基板保持部に保持された前記発光基板と前記収容基板とを回動させて、前記発光基板と前記収容基板とが所定の交差角度をなす開き状態から互いに略平行となる対向状態まで遷移させることで、前記開口部に前記発光体が遊嵌され前記ガイド開口に前記ガイドピンが挿入された状態で前記基板連結部が前記発光基板と前記収容基板とを連結することを特徴とする表示装置。
（２）前記ガイドピンは、突出方向に細径となるテーパー状をなし、前記ガイド開口は、前記発光基板または前記収容基板の面内に設けられた貫通孔であって、前記発光基板と前記収容基板とが前記開き状態から前記対向状態まで回動することにより前記ガイドピンの少なくとも先端部が前記ガイド開口に遊挿される上記（１）に記載の表示装置。
（３）前記ガイドピンが、前記発光基板または前記収容基板の面内において前記発光体または前記開口部を挟んで前記基板保持部と反対側に設けられている上記（２）に記載の表示装置。
（４）前記発光体が、光軸方向を前記実装面の法線方向に略一致させて取り付けられた発光ダイオードであり、前記発光基板の前記実装面には、前記発光体よりも高く突出する一または複数のスペーサ突起が設けられており、前記収容基板は、前記対向状態で前記スペーサ突起を収容するスペーサ収容部を備える上記（１）から（３）のいずれか一項に記載の表示装置。
（５）少なくとも一の前記スペーサ突起が、前記発光基板と前記収容基板とが前記開き状態から前記対向状態まで回動するとき前記ガイドピンの先端部が前記ガイド開口に進入する前に当該スペーサ突起の先端部が前記スペーサ収容部に進入するような位置および突出高さで形成されていることを特徴とする上記（４）に記載の表示装置。
（６）前記発光基板および前記収容基板がそれぞれ略矩形状をなし、前記基板保持部が、前記発光基板または前記収容基板の少なくとも一の外縁に沿って複数箇所に離間して設けられているとともに、前記発光基板と前記収容基板とが前記外縁の延在方向に相対移動することを規制する係合突起を備える上記（１）から（５）のいずれか一項に記載の表示装置。
（７）前記基板連結部が、前記対向状態で前記発光基板と前記収容基板とを解除可能に係止する複数の係止爪を備え、前記ガイドピンおよび前記ガイド開口が、複数の前記係止爪の近傍にそれぞれ設けられている上記（１）から（６）のいずれか一項に記載の表示装置。
（８）上記（１）から（７）のいずれか一項に記載の表示装置と、前記収容基板よりも前面側に配置され、前記開口部に対応する位置に複数のセンサ電極が設けられたセンサシートと、を備える情報入力装置。
（９）前記センサシートよりも前面側に配置されたパターンシートを備え、前記パターンシートは、遮光性のシート部材に所定形状の複数の光通過部が前記開口部に対応する位置に形成されてなり、前記発光体が放射した光を通過させて文字、図形または記号を表す表示要素を発光表示する上記（８）に記載の情報入力装置。
（１０）上記（１）から（７）のいずれか一項に記載の表示装置と、前記表示装置を前面に保持する筐体と、前記筐体の内部に設けられた、商品を収容する商品収容部および収容された前記商品を前記筐体の前面側に払い出す商品払出機構と、を備える自動販売機。
（１１）前記商品が、たばこ商品である上記（１０）に記載の自動販売機。
【符号の説明】
【００７５】
１０      発光基板
１０ａ、２０ａ      上縁
１０ｂ、２０ｂ      下縁
１０ｃ、１０ｄ      側縁
１２      発光体
１３      発光制御部
１４      実装面
１５      導光板
１６      ガイド開口
１８      スペーサ突起
１８ａ    上部スペーサ突起
１８ｂ    下部スペーサ突起
１８１    先端部
１９      切欠部
１９１    上辺切欠部
１９２    下辺切欠部
１９３    凹部
２０      収容基板
２０１    前面周壁部
２１      主面
２２      開口部
２３      前面リブ
２４      基板保持部
２４１    保持片
２４２    係合突起
２５      位置決めピン
２６      ガイドピン
２６１    先端部
２８      基板連結部
２８１    係止爪
２９      スペーサ収容部
２９ａ、３６、４６      貫通孔
２９ｂ    切欠凹部
３０      センサシート
３２      センサ電極
３８、４８      位置決め孔
４０      パターンシート
４２      光通過部
４４      表示要素
５０      スペーサ部材
５２      視野角制限シート
５４      透過領域
５６      不透過領域
５８      保護シート
６０      空隙部
８２      前面カバー
８４      背面カバー
８５      補強リブ
８８      取付部
１００      表示装置
１２０      情報入力装置
１２２      筐体
１２４      商品収容部
１２６      商品払出機構
１２８      商品取出口
１４１      コイン投入部
１４２      紙幣投入部
１４３      カード読み書き部
１５０      自動販売機
２１０      入力体
ＡＸ        回動軸
Ｇ          商品
Ｌ          光
【図１】
2015219251.tif 000003
【図２】
2015219251.tif 000004
【図３】
2015219251.tif 000005
【図４】
2015219251.tif 000006
【図５】
2015219251.tif 000007